(57)【要約】【課題】後室に対して空調空気を供給しないようにして、管系を簡略にすると共に、外気処理空調機の小型化を図り、以って設備費、運転維持費を節減し得るようにした動物飼育施設を提供する。【解決手段】順次隣接する前室２と飼育室３と後室４とメンテナンス用廊下５とを備え、飼育室３には、飼育器を収納し得るラック６が設けられた動物飼育施設であって、前室２及び飼育室３には、ＨＥＰＡフィルタ１５，１６により清浄化された空調空気１０を導入し得るように構成すると共に、前室２からは導入された空気の一部を飼育室３へ導入し得るよう構成し、飼育室３から後室４へ導入された空気の一部を、ＨＥＰＡフィルタ１７を通したうえ排気するように構成すると共に、残りの空気をメンテナンス用廊下５を介して排気するよう構成する。【選択図】        図１
2004283018.tif 000002
【特許請求の範囲】
【請求項１】
順次隣接する前室と飼育室と後室とを備え、飼育室には、飼育器を収納し得るラックが設けられた動物飼育施設であって、前記前室及び飼育室には、空調処理されると共にフィルタにより清浄化された空気を導入し得るよう構成し、前室からは導入された前記空気の一部を飼育室へ導入し得るよう構成し、飼育室から後室へ導入された空気をフィルタを通したうえ排気するよう構成したことを特徴とする動物飼育施設。
【請求項２】
順次隣接する前室と飼育室と後室とメンテナンス用空間とを備え、前記飼育室には、飼育器を収納し得るラックが設けられた動物飼育施設であって、前記前室及び飼育室には、空調処理されると共にフィルタにより清浄化された空気を導入し得るよう構成し、前室からは導入された前記空気の一部を飼育室へ導入し得るよう構成し、飼育室から後室へ導入された空気の一部を、フィルタを通したうえ排気するよう構成すると共に、残りの空気をメンテナンス用空間を介して排気するよう構成したことを特徴とする動物飼育施設。
【請求項３】
飼育室内の空気をフィルタを通してラックに収納された飼育器に送給すると共に、ラックから排気された空気をフィルタを通して飼育室内に戻すようにした局所換気手段を設けた請求項１又は２記載の動物飼育施設。
【請求項４】
飼育室内の空気をフィルタを通してラックに収納された飼育器に送給すると共に、ラックから排気された空気をフィルタを通して飼育室の外部へ排気し得るようにした局所換気手段を設けた請求項１又は２記載の動物飼育施設。
【請求項５】
室からの排気を排気浄化手段に通すよう構成した請求項１、２、３又は４記載の動物飼育施設。
【請求項６】
局所換気手段からの排気を排気浄化手段に通すよう構成した請求項４記載の動物飼育施設。
【請求項７】
フィルタを高性能フィルタとした請求項１、２、３、４、５又は６記載の動物飼育施設。
【発明の詳細な説明】
【０００１】
【発明の属する技術分野】
本発明は動物飼育施設に関する。
【０００２】
【従来の技術】
従来、多数の動物飼育室へ調整された空気を供給する動物飼育施設としては、例えば、図５に示すようなものがある。図５中、１は動物飼育室を備えた建造物で、建造物１は清浄廊下である前室２、前室２に隣接して配置された飼育室３、飼育室３に隣接して配置された汚染廊下である後室４、後室４に隣接して配置されたメンテナンス用廊下５を備えており、飼育室３内には、いわゆるオープンタイプの飼育器（図示せず）を収納し得るようにしたラック６が設置されるようになっている。
【０００３】
前室２と飼育室３を仕切る壁面の上部天井側、飼育室３と後室４を仕切る壁面の上部天井側、後室４とメンテナンス用廊下５を仕切る壁面の上部天井側には、夫々、差圧ダンパ７，８，９が設けられており、陽圧維持のための加圧余剰分の空気は差圧ダンパ７，８，９の部分において壁面に設けた開口部（以下、差圧ダンパの開口部と称す。）を通り、前室２から飼育室３へ、又、飼育室３から後室４へ、更に後室４からメンテナンス用廊下５へと流れるようになっている。
【０００４】
外気処理空調機で処理されて再熱ヒータで温調された空気、すなわち、空調処理された空気（空調空気）１０を送給し得るようにした空気供給主管１１は先端側で３系統の空気供給管１２，１３，１４に分岐し、各空気供給管１２，１３，１４は、前室２、飼育室３、後室４の天井部に設置したＨＥＰＡフィルタ１５，１６，１７に接続されている。而して、空調空気１０はＨＥＰＡフィルタ１５，１６，１７で塵埃を除去されてクリーンな状態にされ、前室２、飼育室３、後室４内に導入されるようになっている。ＨＥＰＡフィルタ１５，１６，１７は高性能フィルタであり、ＤＯＰ９９．９７％の除去効率があり、空気中を浮遊する塵埃に付着する微生物、或は微生物自体を除去し得るようになっている。
【０００５】
飼育室３内の下部床面側には排気用吸込み口１８が配置され、排気用吸込み口１８には、飼育室３内を延在し且つ飼育室３から外部へ延びる排気管１９が接続されている。
【０００６】
後室４内の下部床面側には排気用吸込み口２０が配置され、排気用吸込み口２０には、後室４内を延在し且つ後室４から外部へ延びる排気管２１が接続されている。
【０００７】
メンテナンス用廊下５の天井部には排気用吸込み口２２が配置され、排気用吸込み口２２には、メンテナンス用廊下５から外部へ延びる排気管２３が接続されている。
【０００８】
排気管１９にはＨＥＰＡフィルタ２４が接続されていると共に、排気管１９，２１，２３は１本に合流して、中途部にスクラバ２６が接続された排気主管２５に接続されている。なお、図中、２７は差圧ダンパ８の開口部に設けられた粗塵及び脱臭フィルタ、２８は排気用吸込み口２０の吸込み口前面に設けられた粗塵及び脱臭フィルタである。
【０００９】
空調空気１０は、空気供給主管１１から各空気供給管１２，１３，１４を通ってＨＥＰＡフィルタ１５，１６，１７へ導入され、ＨＥＰＡフィルタ１５，１６，１７において脱塵、除菌され清浄化された後、前室２，飼育室３，後室４に導入される。
【００１０】
而して、前室２に導入された空気は、一部が前室２に滞留して前室２を陽圧に保持し、各壁、天井、床面を押すかたちのままの状態で差圧ダンパ７の部分の開口から差圧ダンパ７の閉まる力に抗して飼育室３へ導入され、飼育室３では、空気供給管１３からの空気と前室２からの空気が合流して飼育室３内を上方から斜め下方へ流れ、相当量の空気はラック６に収納された飼育器を通る。このため、空気には体毛や臭いが同伴されるが、体毛や臭いは粗塵及び脱臭フィルタ２８で除去されるため、これらを除去された空気が排気用吸込み口１８から排気管１９へ吸込まれる。
【００１１】
又、残りの空気は、粗塵及び脱臭フィルタ２７で体毛や臭いが除去されて差圧ダンパ８の開口部から差圧ダンパ８の閉まろうとする力に抗して後室４へ導入され、後室４では、空気供給管１４からの空気と合流し、相当量の空気は差圧ダンパ９の開口部からメンテナンス用廊下５へ流入し、残りの空気は、排気用吸込み口２０へ流入する。
【００１２】
メンテナンス用廊下５に導入された空気は全量、排気用吸込み口２２から排気管２３へ流入する。
【００１３】
排気管１９内の排気空気は、ＨＥＰＡフィルタ２４により菌体等の微生物を除去されて清浄化された後、又、排気管２１，２３内の排気空気はそのままの状態で、夫々流れて排気主管２５へ流入し、スクラバ２６で散布される水等の液体により洗浄され、除菌及び脱臭が行われて下流へ送給される。
【００１４】
上記動物飼育施設では、飼育室３へ清浄化されていない空気が流入しないよう、各室の圧力は、例えば前室２で４ｍｍＡｑ（＋＋）、飼育室３で２ｍｍＡｑ（＋）、後室４で０ｍｍＡｑ（±０）、メンテナンス用廊下５で大気圧より低圧（−）となるよう、すなわち、前室２内の圧力＞飼育室３の圧力＞後室４の圧力＞メンテナンス用廊下５の圧力となるよう、差圧ダンパ８，９の開度が調整されている。メンテナンス用廊下５の圧力は飼育室３の圧力よりも低い負圧であるため、微生物に汚染された汚染空気が飼育室３や外気に漏れることはない。
【００１５】
上記動物飼育施設において、例えば、飼育室３へ単位時間当りに１１００の流量の空調処理された空気を供給する必要がある場合の空気送給系統の空気量は次の通りである。すなわち、空気供給主管１１を流れる空調空気１０の流量はＱ１＝１６００、空気供給管１２から前室２へ導入される空調空気１０の流量はＱ２＝３００、空気供給管１３から飼育室３内へ導入される空調空気１０の流量はＱ３＝１０００、空気供給管１４から後室４へ導入される空調空気１０の流量はＱ４＝３００である。
【００１６】
又、前室２から飼育室３へ導入される空気の流量はＱ５＝１００で、残りの空気（Ｑ２−Ｑ５＝２００）は前室２の圧力を保持するために、種々の隙間からの漏れ損量として使用される。
【００１７】
飼育室３で排気管１９へ吸込まれる空気の流量はＱ６＝９００、飼育室３から後室４へ導入される空気の流量はＱ７＝２００、後室４で排気管２１に吸込まれる空気の流量はＱ８＝１００、後室４からメンテナンス用廊下５へ導入される空気の流量はＱ９＝４００、メンテナンス用廊下５から排気管２３へ吸込まれる空気の流量はＱ１０＝４００、排気主管２５を流れる空気の流量はＱ１１＝１４００である。なお、各流量を示す数値は絶対量ではなく比率である。
【００１８】
なお、従来の動物飼育施設の一般的な技術レベルを示すものとしては例えば、特許文献１、非特許文献１等がある。
【００１９】
【特許文献１】
特開平８−２４２７１８号公報
【非特許文献１】
熊谷技報第３６号、１９８５．２  動物実験施設バイオクリーンルームの施工  第２４３頁〜２５１頁
【００２０】
【発明が解決しようとする課題】
図５に示す動物飼育施設では、上述のように換気することにより、飼育動物の健康状態を良好に維持することができるが、後室４を清浄に保つために後室４に対しても空調空気を供給しなければならない。従って、多量の空調処理された空気が必要となると共に、余分な管系が必要となり、しかも外気処理空調機が大型化して設備費、運転維持費が高価となるという問題がある。
【００２１】
本発明は、上述の実情に鑑み、後室に対して空調処理された空気を供給しないようにして、管系を簡略にすると共に、外気処理空調機の小型化を図り、以って設備費、運転維持費を節減し得るようにした動物飼育施設を提供することを目的としてなしたものである。
【００２２】
【課題を解決するための手段】
請求項１の動物飼育施設は、順次隣接する前室と飼育室と後室とを備え、飼育室には、飼育器を収納し得るラックが設けられた動物飼育施設であって、前記前室及び飼育室には、空調処理されると共にフィルタにより清浄化された空気を導入し得るよう構成し、前室からは導入された前記空気の一部を飼育室へ導入し得るよう構成し、飼育室から後室へ導入された空気をフィルタを通したうえ排気するよう構成したものである。
【００２３】
請求項２の動物飼育施設は、順次隣接する前室と飼育室と後室とメンテナンス用空間とを備え、前記飼育室には、飼育器を収納し得るラックが設けられた動物飼育施設であって、前記前室及び飼育室には、空調処理されると共にフィルタにより清浄化された空気を導入し得るよう構成し、前室からは導入された前記空気の一部を飼育室へ導入し得るよう構成し、飼育室から後室へ導入された空気の一部を、フィルタを通したうえ排気するよう構成すると共に、残りの空気をメンテナンス用空間を介して排気するよう構成したものである。
【００２４】
請求項３の動物飼育施設においては、飼育室内の空気をフィルタを通してラックに収納された飼育器に送給すると共に、ラックから排気された空気をフィルタを通して飼育室内に戻すようにした局所換気手段を設けたものである。
【００２５】
請求項４の動物飼育施設は、飼育室内の空気をフィルタを通してラックに収納された飼育器に送給すると共に、ラックから排気された空気をフィルタを通して飼育室の外部へ排気し得るようにした局所換気手段を設けたものである。
【００２６】
請求項５の動物飼育施設は、室からの排気を排気浄化手段に通すよう構成したものであり、請求項６の動物飼育施設は、局所換気手段からの排気を排気浄化手段に通すように構成したものであり、請求項７の動物飼育施設は、フィルタを高性能フィルタとしたものである。
【００２７】
本発明によれば、後室に対して直接空調処理された空気を供給しないようにすることにより、空調処理された空気や排気空気の管系を簡略にできると共に、管系に付属する設備も小型にすることができ、しかも外気処理空調機の小型化を図ることが可能となるため、設備費、運転維持費を節減することができる。
【００２８】
【発明の実施の形態】
以下、本発明の実施の形態を添付図面を参照しつつ説明する。
図１は本発明の動物飼育施設の実施形態の第一例であって、図中、図５と同一の符号を付した部分は同一のものを表わす。
【００２９】
本図示例において図５に示す動物飼育施設と異なるところは、図５に示す空気供給管１４をなくすと共に、飼育室３の排気用吸込み口１８、排気管１９、排気管１９に設けられたＨＥＰＡフィルタ２４、脱臭フィルタ２８をもなくし、しかも、飼育室３から後室４へ空気を送る差圧ダンパ８及び脱臭フィルタ２７を下部の床面近傍に設置し、後室４内の排気用吸込み口２０、排気管２１の後室４内敷設部分をなくし、後室４の空気の多くを天井部に設けたＨＥＰＡフィルタ１７を通して外部の排気管２１に排気し得るようにした点であり、これ以外の構成は従来の図５に示す動物飼育施設と略同じである。
【００３０】
次に、上記した実施の形態の作動を説明する。
従来の動物飼育施設と同様、図示してない外気処理空調機で処理され、再熱ヒータで温調された空調空気１０は、空気供給主管１１から各空気供給管１２，１３を通り、ＨＥＰＡフィルタ１５，１６により脱塵されて清浄化された後、前室２，飼育室３に導入される。
【００３１】
而して、前室２に導入された空気は、一部が前室２に滞留して前室２を陽圧に保持し、各壁、天井、床を押す形のままの状態で差圧ダンパ７の開口部から差圧ダンパ７の閉まる力に抗して飼育室３へ導入され、飼育室３では、空気供給管１３からの空気と前室２からの空気が合流して飼育室３内を上方から斜め下方へ流れ、相当量の空気はラック６に収納された飼育器を通る。このため、空気には体毛や臭いが同伴され、体毛や臭いが同伴された空気は全量、下部の床面近くに設置した差圧ダンパ８の開口部から差圧ダンパ８の閉まる力に抗して後室４内へ導入される。この際、空気中の臭いは脱臭フィルタ２７により除去される。
【００３２】
後室４へ導入された空気は室内の汚染を同伴し上昇し、多くはＨＥＰＡフィルタ１７において、同伴された塵埃に付着したり、それ自体で漂う微生物を除去され、清浄化された後、排気管２１に流入し、残りの空気は、差圧ダンパ９の開口部から差圧ダンパ９の閉まる力に抗してメンテナンス用廊下５へ導入される。
【００３３】
メンテナンス用廊下５に導入された空気は全量、排気用吸込み口２２から排気管２３へ流入する。
【００３４】
排気管２１，２３内の排気空気は排気主管２５へ流入し、スクラバ２６で散布される水等の液体により洗浄され、塵埃及び脱臭が行われて下流へ送給される。
【００３５】
上述のように換気することにより、飼育動物の健康状態を良好に維持することができ、外部へ菌体等の微生物が漏出することを防止することができる。
【００３６】
上記動物飼育施設では、飼育室３へ清浄化されていない空気が流入するのを防止するため、各室の圧力は図５で説明したと同一の圧力となるよう、差圧ダンパ８，９の開度が調整される。この場合にも、メンテナンス用廊下５の圧力は飼育室３の圧力よりも低く、大気圧よりも低い負圧であるため、微生物に汚染された汚染空気が飼育室３や外気に漏れることはない。
【００３７】
上記図示例において、飼育室３へ単位時間当りに１１００の流量の空調処理された空気を供給する必要がある場合の空気送給系統の空気量は次の通りである。すなわち、空気供給主管１１を流れる空気の流量はＱ１＝１３００、空気供給管１２から前室２へ導入される空気の流量はＱ２＝３００、空気供給管１３から飼育室３内へ導入される空気の流量はＱ３＝１０００である。
【００３８】
又、前室２から飼育室３へ導入される空気の流量はＱ５＝１００で、残りの空気（Ｑ２−Ｑ５＝２００）は、図５の場合と同様、前室２の圧力を保持するため、種々の隙間からの漏れ損量としての加圧余剰分として使用される。
【００３９】
飼育室３から後室４へ導入される空気の流量はＱ７（＝Ｑ３＋Ｑ５）＝１１００、後室４でＨＥＰＡフィルタ１７から排気管２１に吸込まれる空気の流量はＱ８＝１０００、後室４からメンテナンス用廊下５へ導入される空気の流量はＱ９＝１００、メンテナンス用廊下５から排気管２３へ吸込まれる空気の流量はＱ１０＝１００、排気主管２５を流れる空気の流量はＱ１１＝１１００である。なお、本例においても、各流量を示す数値は絶対量ではなく比率である。
【００４０】
上記図示例によれば、後室４に対して直接、空調空気１０を供給しないようにすることにより空調空気１０や排気空気の、管系を簡略にできると共に管系に付属する設備も小型にすることができ、しかも外気処理空調機の小型化を図ることが可能となるため、設備費、運転維持費を節減することができる。
【００４１】
図２は本発明の動物飼育施設の実施形態の第二例であって、飼育室３のラック６に収納した飼育器を局所換気し得るようにした例である。図中、２９はラック６上に設置した給気装置であり、給気装置２９はファン３０及びＨＥＰＡフィルタ３１を備えている。３２はラック６上に設置した排気装置であり、排気装置３２はファン３３及びＨＥＰＡフィルタ３４を備えている。而して、局所換気手段は給気装置２９及び排気装置３２により構成されている。
【００４２】
本図示例においては、飼育室３内の空気の一部は、給気装置２９のファン３０によりＨＥＰＡフィルタ３１に送給され、ＨＥＰＡフィルタ３１で清浄化されてラック６における各段に設置した飼育器を通り、体毛や臭いを同伴して排気装置３２ののファン３３によりＨＥＰＡフィルタ３４に送給され、ＨＥＰＡフィルタ３４において、検体である動物からの菌体等の微生物が除去されると共に体毛が除去されて飼育室３内へ戻される。空気中の臭いは、空気が差圧ダンパ８の開口部を差圧ダンパ８が閉まる力に抗して通る際に、脱臭フィルタ２７により除去される。
【００４３】
このように、局所換気することにより、上記図示例と同様な作用効果を奏し得るうえ、飼育動物をより一層良好な健康状態に保持することができる。
【００４４】
図３、図４は本発明の動物飼育施設の実施形態の第三例であり、本図示例では、図２に示すように、ラック６に収納した飼育器の局所換気を行うに際し、排気装置３２のＨＥＰＡフィルタ３４に排気管３５を接続し、空気を排気管３５から排気管３６を介し排気主管２５へ排気し得るようにしたものである。排気管３５，３６の飼育室３内と飼育室３外との境界部は、図４に示すように、直接的には接続されておらず、いわゆる間接接続になっている。すなわち、排気管３５は上端において飼育室３内に連通しており、排気管３５の上端には、飼育室３内において排気管３６の下端が隙間３７を置いて遊嵌している。
【００４５】
この場合、空気供給管１３から飼育室３へ導入する空調処理された空気の単位時間当りの流量をＱ３＝１０００とした場合、比率としては、排気管３５，３６から排気される空気の流量はＱ６’＝３００、飼育室３から後室４へ導入される空気の流量はＱ７＝８００、後室４から排気管２１へ排気される空気の流量はＱ８＝７００であり、他の箇所は前記図示例と同一である。
【００４６】
このようにすることにより、上記図示例と同様の作用効果を奏することができる。又、局所換気に用いられた空気は飼育室３内に排気されないため、飼育室３の清浄度が良好となり、更に、飼育室３の図示してない扉が開かれて飼育室３内の圧力が変動したような場合には、圧力変動は隙間３７から排気管３６側へ逃げるため、ラック６の飼育器の部分には圧力変動が及ばず、飼育されている動物にストレスを与えることがない。
【００４７】
なお、本発明の動物飼育施設においては、フィルタとしてＨＥＰＡフィルタを用いる場合について説明したが、ＨＥＰＡフィルタ以外であっても、ＵＬＰＡフィルタのような高性能フィルタを用いることもできること、その他、本発明の要旨を逸脱しない範囲内において種々変更を加え得ることは勿論である。
【００４８】
【発明の効果】
以上、説明したように本発明の請求項１〜７記載の動物飼育施設によれば、、後室に対して直接空調空気を供給しないようにすることにより、空調空気や排気空気の管系を簡略にできると共に管系に付属する設備も小型にすることができ、しかも外気処理空調機の小型化を図ることが可能となるため、設備費、運転維持費を節減することができる、という優れた効果を奏し得る。
【図面の簡単な説明】
【図１】本発明の動物飼育施設の実施の形態の第一例の概要を示す正面図である。
【図２】本発明の動物飼育施設の実施の形態の第二例の概要を示す正面図である。
【図３】本発明の動物飼育施設の実施の形態の第三例の概要を示す正面図である。
【図４】図３のＩＶ部拡大図である。
【図５】従来の動物飼育施設の一例の概要を示す正面図である。
【符号の説明】
２    前室
３    飼育室
４    後室
５    メンテナンス用廊下（メンテナンス用空間）
６    ラック
１５  ＨＥＰＡフィルタ（フィルタ）（高性能フィルタ）
１６  ＨＥＰＡフィルタ（フィルタ）（高性能フィルタ）
１７    ＨＥＰＡフィルタ（フィルタ）（高性能フィルタ）
２６    スクラバ（排気浄化手段）
２９    給気装置（局所換気手段）
３１    ＨＥＰＡフィルタ（フィルタ）（高性能フィルタ）
３２    排気装置（局所換気手段）
３４    ＨＥＰＡフィルタ（フィルタ）（高性能フィルタ）
【図１】
2004283018.tif 000003
【図２】
2004283018.tif 000004
【図３】
2004283018.tif 000005
【図４】
2004283018.tif 000006
【図５】
2004283018.tif 000007